(57)【特許請求の範囲】
【請求項１】
本体内部に熱交換器、ファンモーター、ファンを具備し、本体外郭を構成する外箱の天面部に形成された凹状の送風口部の前面には、横桟を有する吹出しグリルを具備し、かつ前記送風口部の上方には、回動可能となる、左右に軸部を有した板状の上下風向変更用羽根が配設され、かつ前記上下風向変更用羽根の前方端が、前記送風口部の上方を塞いだ状態で前記吹出しグリルの上方に位置するとともに、前記吹出しグリルと一連となって構成される空気調和装置。
【請求項２】
送風口部の底面が、吹出しグリルの最下部より上部に配置され、かつ前記送風口部の底面前縁と前記吹出しグリルの最下部が傾斜面で連結した請求項１記載の空気調和装置。
【請求項３】
吹出しグリルの横桟に係合する縦桟が、前記吹出しグリルの横桟の最上部と最下部と傾斜面の底面を結ぶ略三角形状を形成した請求項２記載の空気調和装置。
【発明の詳細な説明】
【０００１】
【発明の属する技術分野】
本発明は、除湿機や冷温風機を含む空気調和装置に関するものである。
【０００２】
【従来の技術】
従来のこの種の空気調和装置は、図６および図７に示すように、本体１の天面部において、送風口２の上部には、外箱３の開口部４が設けられ、そこには、開口部と同一面となり、かつ左右に軸部を有した回動する上下風向変更用羽根５が形成され、一方外箱３の前面上部には、横桟と縦桟から形成された吹出しグリル６が構成されて、送風口部２と連通していた。
【０００３】
【発明が解決しようとする課題】
しかしながら、上記従来の構成では、ファン７からの送風を上方吹出しする場合には、上下風向変更用羽根５を立てることにより、送風口２より吹き出た風を真っ直ぐに外箱の開口部４に送り、ロスなく送風できたが、前方吹出しの場合には、上下風向変更用羽根５を外箱の開口部４と同一面になるように、開口部４を塞ぎ、送風口２より吹き出た風を曲げて、吹出しグリル６に送り、前方吹出しをしていた。
【０００４】
しかし、この場合、必ずしも開口部４を封止できないため、開口部４と羽根５の隙間より風洩れがありロスとなっていた。また、外箱天面の開口部４と前面にある吹出しグリル６との間の外箱角部８が、例えば風向変更用羽根５を４５度に傾けた場合、送風方向の障害物となり、送風方向を上方から前方へと連続的に変えることができなかった。
【０００５】
また、前方への水平吹出しであったため、空気調和装置の前方の床面に置いた靴や洗濯物、また押入れ下部や下駄箱など湿気のたまりやすい低い場所への吹き当てができなかった。
【０００６】
また従来の構成では、前方吹出しの際には、送風口２の上部の風が、上下風向変更用羽根５の向きに合わされ、水平方向に吹き出そうとするが、送風口２の下部の風は、前方寄りの送風口２から吹出した風はそのまま吹出しグリル６より上方向きに吹出し、結果的に送風がやや上向きになる傾向があった。
【０００７】
また従来の構成では、図６のようにファン７を配置した場合、ファン７の特性より、正面より左寄りに風向が片寄りする傾向があり、前方にほぼまっすぐに吹出ないという課題があった。
【０００８】
本発明はこのような従来の課題を解決するものであり、風洩れロスをできるだけ低減して、上下風向変更用羽根を回動することにより、吹出し方向を連続的に上方から前斜め下方まで変えることのできる空気調和装置を提供することを目的とする。
【０００９】
【課題を解決するための手段】
上記の課題を解決するための請求項１記載の発明は、本体外郭を構成する外箱の天面部に形成された凹状の送風口部の前面には、横桟を有する吹出しグリルを具備し、かつ前記送風口部の上方には、回動可能となる、左右に軸部を有した板状の上下風向変更用羽根が配設され、かつ前記上下風向変更用羽根の前方端が、前記送風口部の上方を塞いだ状態で前記吹出しグリルの上方に位置するとともに、前記吹出しグリルと一連となって構成される空気調和装置で、前方吹出しなどの場合、風洩れロスを低減して吹出すことができる。
【００１０】
また請求項２記載の発明は、外箱天面部に設けられた送風口部の底面が、吹出しグリルの最下部より上部に配置され、かつ送風口部の底面前縁と吹出しグリルの最下部が傾斜面で連結した構成としたもので、より効率的に前斜め下方吹出しの送風を提供することができる。
【００１１】
また請求項３記載の発明は、吹出しグリルの縦桟が、吹出しグリルの横桟の最上部と最下部と傾斜面を結ぶ略三角形状を形成した構成としたもので、前方左右への吹出し方向片寄りを防止することができる。
【００１２】
このように上下風向変更用羽根の前方端が、吹出しグリルの上方に配置したことにより、前方吹出しなどの場合、風洩れロスを低減して効果的に吹出すことができる。
【００１３】
【発明の実施の形態】
以下本発明の実施の形態について図面を参照して説明する。
【００１４】
（実施の形態１）
図１は、本実施の形態における空気調和装置の本体１１の外観を示す正面図で、本体１１の前面上部には横桟と縦桟から形成された吹出しグリル１２およびその上部に上下風向変更用羽根１３が構成されている。
【００１５】
図２は、正面より見た本体１１の主要送風部の縦断面図で、ファンケース１４の内部に遠心形ファン１５が配置され、ファンケース１４は上部に送風口部１６と連結され、送風口１６ａにより連通している。
【００１６】
図３は、右側面より見た本体１１の前部の縦断面図で、送風口部１６の前面の外箱には、横桟１２ａと縦桟１２ｂから形成された吹出しグリル１２があり、また送風口部１６の上方には、左右の軸部１７により回動可能となる上下風向変更用羽根１３があり、その前方端１３ａは、送風口部１６の上方を上下風向変更用羽根１３が塞いだ状態で、吹出しグリル１２の上方になるように配置されている。
【００１７】
上記構成において、ファン１５からの送風を上方吹出しする場合には、上下風向変更用羽根１３を回動して立てることにより、送風口１６ａより吹き出た風は真っ直ぐに上方に送られ、上方に吊られた洗濯物に効果的に風を当てることができる。
【００１８】
また水平前方吹出しや前斜め上方吹出しの場合には、上下風向変更用羽根１３を回動させて適切な角度に向け、送風口１６ａより吹き出た風を前記羽根１３に当てて、風向を曲げ、吹出しグリル１２と前記羽根１３の隙間より、目的とする方向に送風することができる。
【００１９】
また前斜め下方吹出しの場合には、図３のように、上下風向変更用羽根１３を回動して、上下風向変更用羽根１３の後方端を外箱と同一面として塞ぎ、やや下方向きにセットすることより、送風口１６ａより上方に吹き出た風は、一旦上下風向変更用羽根１３に当たるが、前記羽根１３の前方端１３ａが、吹出しグリル１２の上方に一連となって構成されているため、風は、上下風向変更用羽根１３の角度に合せて、斜め下方吹出しされ、一体型空気調和装置の前方の床面に置いた靴や洗濯物、また押入れ下部や下駄箱など湿気のたまりやすい低い場所へ吹き当てができる。
【００２０】
（実施の形態２）
図４は、前記送風口部の縦断面図で、送風口部１６の底面１６ｂが、吹出しグリル１２の最下部１２ｃより上部に配置され、かつ送風口部の底面の前縁と吹出しグリル１２の最下部が傾斜面１８で連結した構成となっている。
【００２１】
上記構成において、前斜め下方吹出しの場合には、送風口１６ａより上方に吹き出た風は、一旦上下風向変更用羽根１３に当たり、送風口部の上部の風は、上下風向変更用羽根１３の角度に合せて、斜め下方吹出しされ、また送風口部１６の下部の風は、送風口部１６の底面１６ｂが、吹出しグリル１２の最下部より上部に配置され、かつ送風口部１６の底面１６ｂの前縁と吹出しグリル１２の最下部が傾斜面１８で連結されている。
【００２２】
この構成により、前方寄りの送風口１６ａより上向きに吹き出た風は、上部からの下方向きの風に、下方向きに変えられ、かつコアンダ効果により傾斜面に引き寄せられて、面に沿って下方吹出しされ、効果的に、空気調和装置の前方の床面に置いた靴や洗濯物、また押入れ下部や下駄箱など湿気のたまりやすい低い場所へ風を吹き当てができる。
【００２３】
（実施の形態３）
図５は、前記送風口部１６の縦断面図で、吹出しグリル１２の中央部の縦桟１２ｂが、吹出しグリルの横桟１２ａの最上部１２ｄと最下部１２ｃと送風口部１６の底面１６ｂを結ぶ略三角形状を形成したものである。
【００２４】
上記構成において、前方吹出しや前斜め下方吹出しの場合、遠心形ファン特性より、正面より左寄りに風向が片寄りする傾向があるが、略三角形状の縦リブ１２ｂに当たった風は、前方に吹出す成分となり、また当たらなかった風も、縦リブ１２ｂの風下が負圧となるため、前方に吹出すようになってくる。
【００２５】
この結果、風向は本体に対してほぼまっすぐ吹出てくるため、風向の片寄りのために本体の向き変更することなく、効果的に、空気調和装置の前方の床面に置いた靴や洗濯物、また押入れ下部や下駄箱など湿気のたまりやすい低い場所へ吹き当てができる。
【００２６】
【発明の効果】
上記説明から明らかなように、請求項１に記載の発明は、本体外郭を構成する外箱の天面部に形成された凹状の送風口部の前面には、横桟を有する吹出しグリルを具備し、かつ前記送風口部の上方には、回動可能となる、左右に軸部を有した板状の上下風向変更用羽根が配設され、かつ前記上下風向変更用羽根の前方端が、前記送風口部の上方を塞いだ状態で前記吹出しグリルの上方に位置する構成としたことにより、吹出し方向を連続的に上方から前斜め下方まで変えることができ、さまざまな位置にある洗濯物に吹き当てができ、乾燥時間の短縮が図れる。
【００２７】
また、請求項２記載の発明のように、送風口部の底面が、吹出しグリルの最下部より上部に配置され、かつ送風口部の底面前縁と吹出しグリルの最下部が傾斜面で連結したことにより、前斜め下方吹出しの場合には、送風口部の上部の風は、上下風向変更用羽根の向きに沿って、また送風口部の下部の風は、傾斜面に沿って、下方吹出しとなるため、風向の浮き上がりがなく、効果的に前方の床面に置いた靴や洗濯物、また押入れ下部や下駄箱など湿気のたまりやすい低い場所へ吹き当てができる。
【００２８】
また、請求項３記載の発明のように、吹出しグリルの縦桟を略三角形状としたことで、遠心形ファンの特性による風向の片寄りを防止することができる。また。強度的に弱い吹出しグリルの強度アップを図ることができる。
【図面の簡単な説明】
【図１】  本発明の実施の形態を示す空気調和装置の正面図
【図２】  同正面縦断面図
【図３】  同側面縦断面図
【図４】  本発明における他の実施の形態を示す送風口部の側面縦断面図
【図５】  本発明における他の実施の形態を示す送風口部の側面縦断面図
【図６】  従来の空気調和装置の側面縦断面図
【図７】  同要部側面縦断面図
【符号の説明】
１１  本体
１２  吹出しグリル
１３  上下風向変更用羽根
１６  送風口部
１８  傾斜面
【図１】
0003823673.tif 000002
【図２】
0003823673.tif 000003
【図３】
0003823673.tif 000004
【図４】
0003823673.tif 000005
【図５】
0003823673.tif 000006
【図６】
0003823673.tif 000007
【図７】
0003823673.tif 000008